(57)【要約】【課題】セラミックスクレーパに発生している温度の監視および制御を行うことによって、過熱により生ずるセラミックスクレーパの損傷および衝撃状冷却を回避することが可能な紙ウェブ製造装置を提供する。【構成】紙ウェブ製造装置は、負荷支持および案内ローラ１１，２１上で動かされる２本の無端ワイヤ１，２を有している。　パルプ供給装置３はワイヤにパルプを供給する。吸い込み装置４１，４２，４３およびセラミックスクレーパ４４は無端ワイヤに沿って配置される。また、無端ワイヤおよびスクレーパに噴射ノズル６１，６２，６３から噴射される冷却剤及び制御弁８１．８２，８３によって制御される塗布用装置を備えている。スクレーパの少なくとも幾つかは温度センサとして構成され、その出力は評価ユニット４０を介してディスプレイ装置又は制御ユニット７０に接続される。【選択図】　　図１
2004052207.tif 000002
【特許請求の範囲】
【請求項１】
複数の案内ローラ；
前記案内ローラ上で動かされるような少なくとも１本の無端ワイヤ；
前記ワイヤにパルプを供給するための装置；
前記ワイヤに並んで配置される吸い込み装置；
ディスプレイ装置または制御ユニットに接続されるような出力を備えた少なくとも１つの温度センサを収容する少なくとも１つのスクレーパを含んでいるセラミックスクレーパを含むことを特徴とする紙ウェブ製造装置。
【請求項２】
さらに、前記温度センサの前記出力に接続される制御ユニットを含んでいることを特徴とする特許請求の範囲第１項に記載の紙ウェブ製造装置。
【請求項３】
さらに、前記ワイヤにおよび前記スクレーパに冷却剤を塗布するための冷却剤供給装置を含むことを特徴とする特許請求の範囲第１項に記載の紙ウェブ製造装置。
【請求項４】
前記冷却剤供給装置が弁制御の水送給装置を含むことを特徴とする特許請求の範囲第３項に記載の紙ウェブ製造装置。
【請求項５】
前記冷却剤供給装置が複数の制御弁を含みそして前記制御ユニットの複数の出力が前記ワイヤにおよび前記スクレーパに冷却剤を塗布するために前記制御弁に接続されることを特徴とする特許請求の範囲第４項に記載の紙ウェブ製造装置。
【請求項６】
前記吸い込み装置が前記制御ユニットのそれぞれの出力に接続される制御弁を含むことを特徴とする特許請求の範囲第２項に記載の紙ウェブ製造装置。
【請求項７】
前記制御ユニットが前記ワイヤ上にパルプを供給するための前記装置に接続される出力を有することを特徴とする特許請求の範囲第２項に記載の紙ウェブ製造装置。
【請求項８】
前記吸い込み装置が少なくとも１つの温度センサにより構成される少なくとも１つのセラミックスクレーパを含み、前記温度センサが前記ワイヤにおよび前記スクレーパに冷却剤を塗布するために関連の吸い込みボックスと連係する冷却剤供給装置のそれぞれの制御弁に前記制御ユニットを介して接続される出力を含んでいることを特徴とする特許請求の範囲第２項に記載の紙ウェブ製造装置。
【発明の詳細な説明】
【０００１】
【発明の属する技術分野】
本発明は、負荷支持および案内ローラ上で動かされるような少なくとも１つの無端ワイヤ、前記ワイヤにパルプを供給するための装置、前記ワイヤに並んで配置される吸い込み装置およびセラミックワイパ帯片を含んでいる紙ウェブ製造装置に関する。任意に、装置は、ワイヤにかつワイパ帯片に、冷却剤、とくに水の、弁によって制御される、塗布用装置を含んでもよい。
【０００２】
【従来の技術】
この型の従来の装置は、負荷支持および案内ローラまたは偏向ローラ上で動かされる少なくとも１つの無端ワイヤ（スクリーン）を有している。約１％の固形成分および約９９％の水を含有する、パルプまたはストック懸濁液がノズルによってその幅全体にわたってワイヤに塗布される。ワイヤは吸い込みボックスおよびスクレーパ、すなわちワイパ帯片上で２５００ｍ／分の速度で案内される。結果として、パルプ中に含有される水は排出される。
【０００３】
製造作業の開始においてまたは製造分裂の場合において、ワイヤが箔上でパルプがそこになく箔上窓を動くので、箔上のワイヤの摩擦によって発生された熱は動かされない。この作用は、ワイヤが吸い込みボックス内に置かれた箔に対して吸い込み作用により押される、吸い込みボックスの領域においてとくに発生する。これはとくに、２本のワイヤのため、増加された吸い込み作用かつしたがって増加された接触力が達成されるのでパルプが２本のワイヤ間にあるそれらの装置に適用される。同様に、屈曲された吸い込みボックス上のワイヤの偏向の結果として、箔上に作用する追加の圧縮力が発生し、それによってワイヤと箔との間に発生する摩擦かつそれによって発生される熱が鋭く増大される。これによって発生される温度は数百°Ｃに達することができるので、これは結果として箔に対する損傷の危険を生じる。パルプが続いてワイヤに塗布されるとすぐに、箔は非常に急激に冷却され、その結果として箔は同様に損傷されるかまたは破壊され得る。
【０００４】
【発明が解決しようとする課題】
これらの困難を回避するために、かかる装置において、水がワイヤにかつ箔にそれによって塗布される噴霧ノズルを設けることが知られ、その手段によって箔の所定の冷却が製造作業の開始においてまたは製造分裂の間中行われる。しかしながら、この公知の手段はそれゆえ、箔の冷却が製造状態に対する参照なしに行われるので、要求に合致せず、その理由で、セラミックスクレーパにおいて、温度の上昇がスクレーパの過熱のかぎり引き起こされるその場合に発生することができる。例えば、吸い込み作用が悪く設定され、その理由でワイヤと箔との間の過剰に高い摩擦が発生される。同様に、あまりにも少ない水がパルプから抽出され、その理由で所定の冷却が行われず、その結果として箔の容認できない加熱同様に発生する。その場合に、噴霧ノズルがオンされると直ぐに、スクレーパの非常に急激な冷却のため、セラミックスクレーパを損傷または破壊する危険が追加的に存在する。
【０００５】
したがって、本発明の目的は、これまで公知の装置およびこの一般的な型の方法の上述した欠点を克服する、紙ウェブ製造装置を提供することにある。
【０００６】
【課題を解決するための手段】
前記および他の目的に鑑みて、本発明によれば、複数の案内ローラおよび
前記案内ローラ上で動かされるような少なくとも１つの無端ワイヤ；
前記ワイヤにパルプを供給するための装置；
前記ワイヤに並んで配置される吸い込み装置、およびワイヤを掻き落とすための複数のセラミックスクレーパを含んでいる紙ウェブ製造装置が設けられる。少なくとも１つのスクレーパはディスプレイ装置または制御ユニットに接続されるような出力を備えた温度センサを含んでいる。
【０００７】
言い換えれば、少なくとも幾つかのスクレーパまたはワイパ帯片が、その出力がディスプレイ装置または制御ユニットに接続される、少なくとも１つの温度センサにより構成される。制御ユニットからの出力は好ましくはワイヤにおよびスクレーパに冷却剤を塗布するための装置の制御弁に接続される。
【０００８】
本発明の追加の特徴によれば、冷却剤供給装置は弁制御の水供給装置を含んでいる。
【０００９】
本発明の追加の特徴によれば、冷却剤供給装置は複数の制御弁を含みそして制御ユニットの複数の出力がワイヤにおよびスクレーパに冷却剤を塗布するために前記制御弁に接続される。
【００１０】
制御ユニットからの出力は吸い込み装置と連係する制御弁に好ましくは接続されるか、または制御ユニットからの出力はワイヤ上にパルプを放出するための装置に接続される。好適な実施の形態によれば、少なくとも１つのセラミックスクレーパを有している吸い込み装置は少なくとも１つの温度センサにより構成され、その出力は制御ユニットを介してワイヤにおよびスクレーパに冷却剤を塗布するために関連の吸い込みボックスと連係する装置の制御弁に接続される。
【００１１】
温度センサにより摩擦の熱によって箔に発生された温度を測定しかつ表示することができ、かつその結果として、この基礎に関して、まず、冷却剤を塗布するための装置のかつ詐欺に吸い込み装置によって発生される吸い込み力の、所定の制御が行われることができ、かつそのうえ、少なくとも１本のワイヤ上へのパルプの放出が、また、制御され得る。
【００１２】
本発明に関する特徴として見なされる他の特徴は添付の特許請求の範囲に記載されている。
【００１３】
本発明は紙ウェブ製造装置において具体化されるようにここでは例示されかつ説明されるけれども、それにも拘わらず、種々の変更および構造的変化が本発明の精神から逸脱することなくかつ請求の範囲の同等物の範囲内でなされ得るので示された詳細に制限されるように意図されない。
【００１４】
本発明の構造および作動方法は、しかしながら、その追加の目的および利点とともに、添付の図面において関連して読まれるとき特別な実施の形態の以下の説明から最良に理解される。
【００１５】
【実施例】
図面の各図に詳細にかつ、特に、その図１を参照すると、紙ウェブ１０を作るための装置が示されている。装置は複数の負荷支持および案内ローラ１１および２１の上を案内される２つの無端のワイヤ１および２（ワイヤスクリーン）を有している。ローラ１１ａおよび２１ａはワイヤ１および２が２５００ｍ／分までの速度で循環して動かされ得るように駆動される。それによってワイヤ１および２がともに導かれる運動方向において２つの最初の案内ローラ１１および２１はパルプを供給するための装置３に割り当てられる。その１％が固形体、とくにセルロース繊維からなり、かつ９９％が水からなる、パルプがその幅全体にわたって２本のワイヤ１および２の間に導かれる。
【００１６】
２本のワイヤ１および２の運動方向に、２つの吸い込みボックス４１および４２および２つのグループのスクレーパ４４が配置される。吸い込みボックス４１および４２は同様にスクレーパにより構成される。加えて、吸い込みボックス４１および４２は各場合に噴霧ノズル６１および６２が割り当てられており、それによって冷却剤、とくに、水がワイヤ１および２上にかつ吸い込みボックス４１および４２に設けられた箔上に噴霧され得る。ワイヤ２の運動過程において、ともに共通である偏向ローラ１１，２１の後ろで、ワイヤ２はさらに他の噴霧ノズル６３が割り当てられそしてワイヤ２はスクレーパにより構成されたさらに他の吸い込みボックス４３上を走行する。２本のワイヤ１および２間で製造された紙ウェブ１０は偏向ローラ１０ａによって第２のワイヤ２から持ち上げられ、プレス装置１２および乾燥装置１３上に導かれかつリール１４を形成するように巻回される。
【００１７】
図２および図２Ａかつまた図３を参照して以下で説明されるように、吸い込みボックス４１，４２および４３に配置されかつセラミック材料から製造されるスクレーパは各場合に少なくとも１つの温度センサにより構成され、それによってスクレーパのそれぞれの温度が測定されることができる。これらの温度センサからの出力はライン４１ａ，４２ａを介して評価ユニット４０に接続される。同一の方法において、グループ４４のスクレーパもまた各場合に温度センサにより構成されることができる。
【００１８】
評価ユニット４０からの出力はライン４０ａを介して制御ユニット７０に接続される。制御ユニット７０からの出力７１ａ，７２ａ，７３ａは、それぞれ噴霧ノズル６１，６２および６３と連係し、かつ冷却剤、とくに水用の噴霧ノズル６１，６２および６３に通じているライン６０に配置される、制御弁７１，７２および７３に接続される。制御ユニット７０からのさらに他の出力８１ａ，８２ａおよび８３ａは、吸い込みボックス４１，４２および４３に通じている真空ライン８０内に配置される、制御弁８１，８２および８３に接続される。
【００１９】
制御ユニット７０からのさらに他の出力３０ａは、送給ライン３０においてパルプの供給用装置３０に配置される、弁３１に接続される。
【００２０】
図２および図２Ａに示されるスクレーパまたは箔５１は負荷支持プレート５０を含み、その上方側に複数のセラミックプレート５３が固定されている。負荷支持プレート５２は温度センサ５４がその中に配置される凹所により構成され、そのセンサ要素５５がセラミックプレート５３の１つに配置される。センサ要素５５によって測定された測定値はライン５６を介して出力される。
【００２１】
使用される温度センサは、好ましくは、ＤＩＮ４３７１０，Ｃｌ．２に対してＦｅ−ＣｕＮｉまたはＤＩＮＥＮ，Ｃｌ．２に対してＮｉＣｒ−Ｎｉの対になっている材料を有する熱電対である。さらに、ＤＩＮＩＥＣ７５１に対するプラチナ抵抗器が同様に使用され得る。
【００２２】
吸い込みボックス４１は図３に示される。これが示すように、この吸い込みボックスは異なる吸い込み作用を有する２つの真空領域４１ｂおよび４１ｃに分割される。温度センサにより構成される複数のスクレーパ５１はこの吸い込みボックス４１内に配置される。
【００２３】
装置は以下のごとく作動する。すなわち、パルプは２本のワイヤ１および２の間にかつ装置３によって導かれる。スクレーパ５１により構成される吸い込みボックス４１，４２および４３を通って、かつまたスクレーパのグループ４４を通って、パルプ中に含有される水がパルプから抽出される。結果として、紙ウェブ１０が製造され、それはワイヤから持ち上げられかつさらに処理される。
【００２４】
これは公知の技術であるので、我々はさらに詳しくは述べない。
【００２５】
吸い込みボックス４１，４２および４３のセラミックスクレーパ５１に収容される温度センサ５４によって、スクレーパ５１に関連してワイヤ１および２の摩擦のためにスクレーパに発生している温度が測定され、かつ評価ユニット４０において評価される。評価ユニット４０から制御ユニット７０に出力される制御信号によって、まずライン７１ａ，７２ｂおよび７３ｃを介して噴霧ノズル６１，６２および６３への水送給６０に配置された弁７１，７２および７３を制御しかつ第２に、吸い込みボックス４１，４２および４３に通じている真空ライン８０に配置された弁８１，８２および８３を制御することが可能である。弁７１，７２および７３を通って、ワイヤ１および２かつスクレーパ５１への、冷却剤、とくに水の塗布が制御される。結果として、まず、セラミックスクレーパ５１の過熱かつ第２に、熱衝撃の損傷作用が回避され得る。吸い込みボックス４１，４２および４３に発生された吸い込み作用を制御することによって、ワイヤ１および２とスクレーパ５１間に発生する摩擦が回避されることができ、その結果としてこれによって発生される熱が同様に制御され得る。これら２つの測定は同時に、さもなければ交互に実施されることができる。
【００２６】
加えて、ワイヤ１と２との間の装置３からのパルプの放出は制御ユニット７０によって制御され得る。これは、箔の過熱の場合において、温度衝撃がパルプによって発生されることができ、それはパルプが放出されないとき阻止されるので好都合である。
【００２７】
これは、それゆえ、セラミックスクレーパに発生している温度の監視および制御がそれによって実施される装置を提供し、その結果として過熱によって発生されるセラミックスクレーパの損傷およびセラミックスクレーパの衝撃状冷却が回避される。
【００２８】
この場合に、装置に設けられたセラミックスクレーパの少なくとも幾つかが、各々少なくとも１つの温度センサによって構成され、それによって箔に発生する温度が測定されることが重要である。これらの測定値はディスプレイ装置に導かれることができ、冷却剤の供給のおよび／または吸い込みボックスの吸い込み作用の手動制御、かつまた実施されるようなパルプの放出の制御を可能にしている。これらの測定値は、そのうえ、また、制御ユニットに導かれることができ、それによって冷却剤の供給および／または吸い込みボックスの吸い込み作用および実施されるようなパルプの放出の制御のプログラム制御調整が実施され得る。
【図面の簡単な説明】
【図１】本発明による装置を示す概略図である。
【図２】温度センサにより構成されたセラミックスクレーパを示す部分長手方向断面図である。
【図２Ａ】温度センサにより構成されたセラミックスクレーパを示す横方向断面図である。
【図３】図２および図２Ａによるスクレーパにより構成された吸い込みボックスを示す断面図である。
【符号の説明】
１　無端ワイヤ
２　無端ワイヤ
３　パルプ供給装置
１１　負荷支持ローラ
２１　案内ローラ
４０　評価ユニット
４１，４２，４３　吸い込み装置
４４　セラミックスクレーパ
６１，６２，６３　噴射ノズル
７０　制御ユニット
８１．８２，８３　制御弁
【図１】
2004052207.tif 000003
【図２】
2004052207.tif 000004
【図２Ａ】
2004052207.tif 000005
【図３】
2004052207.tif 000006